(57)【特許請求の範囲】
【請求項１】
同一の車両に対して複数のリモコンがドアの施開錠用のリモコンとして登録されているキーレスエントリシステムにおいて、
前記リモコンは、
前記ドアの施開錠状態を示す施開錠情報と、前記施開錠情報の更新時刻を示す時刻情報とを記憶する記憶部と、
前記施開錠情報および時刻情報を送信する送信部と、
他のリモコンから送信された施開錠情報および時刻情報を受信する受信部と、
前記記憶部に記憶された施開錠情報を更新する情報更新部とを備え、
前記情報更新部は、他のリモコンから送信された施開錠情報および時刻情報を受信した場合に、前記他のリモコンから送信された施開錠情報が示すドアの施開錠状態が、前記記憶部に記憶された施開錠情報が示すドアの施開錠状態と異なり、かつ前記他のリモコンから送信された施開錠情報のほうが、前記記憶部に記憶された施開錠情報よりも新しいときには、前記記憶部に記憶した施開錠情報を、前記他のリモコンから送信された施開錠情報に書換えて更新する
ことを特徴とするキーレスエントリシステム。
【請求項２】
前記情報更新部は、前記記憶部に記憶した施開錠情報を前記他のリモコンから送信された施開錠情報に書換えて更新する際に、前記記憶部に記憶した時刻情報を、前記他のリモコンから送信された時刻情報に書き換える
ことを特徴とする請求項１に記載のキーレスエントリシステム。
【請求項３】
前記リモコンは、所定の通信範囲を有し、
前記送信部は、前記施開錠情報および時刻情報を定期的に送信する
ことを特徴とする請求項１または請求項２に記載のキーレスエントリシステム。
【請求項４】
同一の車両に対して複数のリモコンがドアの施開錠に利用されるリモコンとして登録されているキーレスエントリシステムにおける前記ドアの施開錠状態を示す施開錠情報の更新方法であって、
前記リモコンは、他のリモコンに対して当該他のリモコンが保持する施開錠情報および前記施開錠情報の更新時刻を示す時刻情報の送信を要求し、
前記他のリモコンが保持する施開錠情報および時刻情報を受信した場合に、前記他のリモコンが保持する施開錠情報および時刻情報と、前記リモコンが保持する施開錠情報および時刻情報とをそれぞれ比較し、
前記他のリモコンが保持する施開錠情報が示すドアの施開錠状態が、前記リモコンが保持する施開錠情報が示すドアの施開錠状態と異なり、かつ前記他のリモコンが保持する施開錠情報のほうが前記リモコンが保持する施開錠情報よりも新しいときには、前記リモコンが保持する施開錠情報を、前記他のリモコンが保持する施開錠情報に書き換えて更新する
ことを特徴とするキーレスエントリシステムにおける施開錠情報の更新方法。
【発明の詳細な説明】
【技術分野】
【０００１】
本発明は、キーを用いずに車両のドアの施開錠を行うキーレスエントリシステム、およびこのキーレスエントリシステムにおけるドアの施開錠状態を示す施開錠情報の更新方法に関する。
【背景技術】
【０００２】
キーを用いずに車両のドアの施開錠を行う装置として、例えば特許文献１に開示されたものがある。
【特許文献１】特開２００１−３１７２５０号公報
【０００３】
特許文献１には、キーレスリモコンを用いてドアの施開錠を実施するキーレスエントリシステムが開示されている。このキーレスエントリシステムでは、ドアの施開錠を実施したキーレスリモコン側で、ドアが施錠状態／開錠状態の何れであるのかを記憶する。そして、ユーザのボタン操作に応じて、ドアが施錠状態と開錠状態のうちの何れであるのかを、キーレスリモコンの表示部に表示して、車両から離れていても車両のドアの施錠状態／開錠状態を確認できるようにしている。
【発明の開示】
【発明が解決しようとする課題】
【０００４】
しかし、ドアの施開錠を実施したキーレスリモコンにのみ、ドアが施錠状態／開錠状態の何れであるのかを記憶するので、同一車両に対して、複数のキーレスリモコンが、ドアの施開錠を実施可能なキーレスリモコンとして登録されている場合、ドアの施開錠を実施したキーレスリモコン以外のキーレスリモコンでは、ドアの施錠状態／開錠状態を正確に確認することができず、利便性において改善の余地があった。
【０００５】
よって、本発明は、同一の車両に対して、複数のキーレスリモコンがドアの施開錠を実施可能なキーレスリモコンとして登録されている場合に、各キーレスリモコンにおいてドアの施錠状態／開錠状態を確認できるようにすることを目的とする。
【課題を解決するための手段】
【０００６】
本発明は、同一の車両に対して複数のリモコンがドアの施開錠用のリモコンとして登録されているキーレスエントリシステムにおいて、リモコンでは、ドアの施開錠状態を示す施開錠情報と、施開錠情報の更新時刻を示す時刻情報とが記憶部に記憶されており、他のリモコンから送信された施開錠情報および時刻情報を受信した場合に、他のリモコンから送信された施開錠情報が示すドアの施開錠状態が、記憶部に記憶した施開錠情報が示すドアの施開錠状態と異なり、かつ他のリモコンから送信された施開錠情報のほうが、記憶部に記憶した施開錠情報よりも新しいときには、記憶部に記憶した施開錠情報を、他のリモコンから送信された施開錠情報に書換えて更新する構成とした。
【発明の効果】
【０００７】
本発明によれば、ドアの施開錠を実施したリモコン以外のリモコンでも、ドアの施錠状態／開錠状態を確認することができ、利便性が向上する。
【発明を実施するための最良の形態】
【０００８】
以下、本発明の好ましい実施例を、添付図面を参照しながら説明する。
図１は、実施例にかかるキーレスエントリシステムの構成を説明する図である。
図２は、ドアロック制御装置１００の構成を説明する図である。
【０００９】
実施例にかかるキーレスエントリシステムは、車両Ｖに搭載されたドアロック制御装置１００と、複数のキーレスリモコン２００とから構成される。
【００１０】
ドアロック制御装置１００は、ドアロックの施開錠を行う装置であり、受信機１１０と、送信機１２０と、リクエストスイッチ１３０と、パッシブコントローラ１４０と、ドアロックアクチュエータ１５０とを備える。
【００１１】
受信機１１０は、車両Ｖに設けられて、キーレスリモコン２００から送信されるＩＤ情報を、受信アンテナ１１０ａを介して受信する。
ここで、ＩＤ情報は、当該ＩＤ情報を送信したキーレスリモコンを識別する識別子（キーＩＤ）を示す情報である。
【００１２】
送信機１２０は、運転席ドア送信機１２１と、助手席ドア送信機１２２とを備える。
図３は、運転席ドア送信機１２１と助手席ドア送信機１２２が送信するＩＤ要求信号の受信可能範囲と、運転席ドア送信機１２１と助手席ドア送信機１２２の配置を説明する図である。
【００１３】
運転席ドア送信機１２１は、例えば車両Ｖの運転席ドアＤ１内に設けられ、送信アンテナ１２１ａを介して後記するＩＤ要求信号を送信する。
ここで、運転席ドアＤ１の近傍の所定範囲Ｒ内でのみ、ＩＤ要求信号の受信が可能となるように、送信アンテナ１２１ａの出力および指向性は調整されている。
【００１４】
助手席ドア送信機１２２は、例えば車両Ｖの助手席ドアＤ２内に設けられ、送信アンテナ１２２ａを介して後記するＩＤ要求信号を送信する。
ここで、助手席ドアＤ２の近傍の所定範囲Ｌ内でのみ、ＩＤ要求信号の受信が可能となるように、送信アンテナ１２２ａの出力および指向性は調整されている。
以下、運転席ドア送信機１２１と助手席ドア送信機１２２とを特に区別しない場合には、単に送信機１２０と表記する。
【００１５】
リクエストスイッチ１３０は、ドアロックの施錠／開錠を意図するユーザが操作するスイッチであり、運転席ドアＤ１のドアノブに設けられた運転席側リクエストスイッチ１３１と、助手席ドアＤ２のドアノブに設けられた助手席側リクエストスイッチ１３２とを備える。
以下、運転席側リクエストスイッチ１３１と助手席側リクエストスイッチ１３２とを特に区別しない場合には、単にリクエストスイッチ１３０と表記する。
【００１６】
パッシブコントローラ１４０は、ＩＤ要求信号生成部１４１と、ＩＤ照合部１４２と、ドアロック制御部１４３と、内部時計１４４と、ドアロック情報生成部１４５と、メモリ１４６とを備える。
【００１７】
ＩＤ要求信号生成部１４１は、リクエストスイッチ１３０が操作された場合に、ＩＤ要求信号を生成する。そして、操作されたリクエストスイッチ１３０が設けられたドアの送信機１２０から、ＩＤ要求信号を送信させる。
ここで、ＩＤ要求信号とは、ＩＤ要求信号を受信したキーレスリモコン２００に対して、当該キーレスリモコン２００のキーＩＤを示すＩＤ情報の送信を要求する信号である。
たとえば、助手席ドアＤ２に設けた助手席側リクエストスイッチ１３２（図３の（ｂ）参照）が操作された場合には、助手席ドア送信機１２２から、助手席側の受信可能範囲Ｌ内にＩＤ要求信号が送信される。
【００１８】
ＩＤ照合部１４２は、キーレスリモコン２００から送信されたＩＤ情報を受信した際に、受信したＩＤ情報が示すキーＩＤと一致するキーＩＤが、メモリ１４６の登録ＩＤテーブル１４６ａ内に登録されているか否かを確認する。
【００１９】
ドアロック制御部１４３は、受信したＩＤ情報が示すキーＩＤと一致するキーＩＤが登録ＩＤテーブル１４６ａ内に登録されている場合に、ドアロックの施開錠を命令する駆動命令を生成し、ドアロックアクチュエータ１５０に出力する。
さらに、ドアロック制御部１４３は、駆動命令を生成してドアロックの施開錠状態を変更した場合に、メモリ１４６内の施開錠情報１４６ｂと時刻情報１４６ｃの内容を更新する。
【００２０】
例えば、ドアロックの施開錠状態が、施錠状態から開錠状態に変更された場合、メモリ１４６に記憶されている施開錠情報１４６ｂの内容を、ドアロックが施錠状態である旨の内容から、ドアロックが開錠状態である旨の内容に変更する。これと同時に、施開錠情報の内容を変更した時刻を、時刻情報１４６ｃが示す施開錠情報の更新時刻とする。
【００２１】
内部時計１４４は、現在時刻を特定する時計信号を出力する。
ドアロック情報生成部１４５は、施開錠情報１４６ｂと時刻情報１４６ｃの内容が更新された場合に、キーレスリモコン２００に送信するドアロック情報を生成する。
ここで、ドアロック情報生成部１４５が生成するドアロック情報は、更新後の施開錠情報と時刻情報とを纏めたドアロック情報に、ドアロック情報を送信する車両Ｖの識別子（車両ＩＤ）を付加した情報である。
【００２２】
メモリ１４６は、例えば不揮発性メモリであり、登録ＩＤテーブル１４６ａと、施開錠情報１４６ｂと、時刻情報１４６ｃと、車両ＩＤ１４６ｄとを記憶する。
登録ＩＤテーブル１４６ａは、車両Ｖのドアロックの施開錠に利用可能とされたキーレスリモコンのキーＩＤを纏めて記憶するテーブルであり、複数のキーＩＤが登録されている。
施開錠情報１４６ｂは、ドアロックが施錠状態と開錠状態のうちの何れであるのかを示す情報である。
時刻情報１４６ｃは、ドアロックが施錠状態または開錠状態にされた時刻（施開錠情報の更新時刻）を示す情報であり、施開錠情報１４６ｂと関連づけられて記憶される。
車両ＩＤ１４６ｄは、ドアロック制御装置１００が搭載された車両Ｖを識別する識別子である。
【００２３】
ドアロックアクチュエータ１５０は、ドアロック制御部１４３から出力される駆動命令を受け、駆動命令に従って、ドアロックの施錠または開錠を行う。
【００２４】
図４は、キーレスリモコンの構成を説明する図である。
キーレスエントリシステムにおいてドアロックの施開錠を行う際に使用されるキーレスリモコン２００の構成を説明する。
キーレスリモコン２００は、送受信部２１０と、制御部２２０と、表示ボタン２３０と、表示部２４０とを有し、図示しないバッテリにより動作して、ドアロック制御装置１００や他のキーレスリモコンとの間で無線通信を行う。
【００２５】
送受信部２１０は、ドアロック制御装置１００から送信されるＩＤ要求信号およびドアロック情報や、他のキーレスリモコンから送信されるＩＤ情報およびドアロック情報を、送受信アンテナ２１０ａを介して受信する。
さらに、制御部２２０のＩＤ情報生成部２２１において生成されたＩＤ情報、ドアロック情報生成部２２３において生成された送信要求信号やドアロック情報を、送受信アンテナ２１０ａを介して送信する。
ここで、送受信部２１０の送受信可能範囲は、前記したドアロック制御装置１００の運転席ドア送信機１２１や助手席ドア送信機１２２の受信可能範囲Ｒ、Ｌ（図３参照）よりも広い範囲に設定されている。
これにより、図１において模式的に示すドアロック制御装置１００の送受信可能範囲よりも、キーレスリモコン２００同士の送受信可能範囲の方が広く設定される。
【００２６】
制御部２２０は、ＩＤ情報生成部２２１と、ＩＤ照合部２２２と、ドアロック情報生成部２２３と、情報更新部２２４と、表示制御部２２５と、メモリ２２６とを備える。
【００２７】
ＩＤ情報生成部２２１は、キーレスリモコン２００のキーＩＤを示すＩＤ情報を、所定周期毎に生成し、送受信部２１０を介して送信する。
また、ドアロック制御装置１００から送信されたＩＤ要求信号を受信した場合には、所定周期に関係なくＩＤ情報を生成し、送受信部２１０を介して送信する。
【００２８】
ＩＤ照合部２２２は、他のキーレスリモコンから送信されたＩＤ情報を受信した際に、受信したＩＤ情報が示すキーＩＤと、登録ＩＤテーブル２２６ａ内に格納された各キーＩＤとを照合して、一致するキーＩＤの有無を確認する。
【００２９】
ドアロック情報生成部２２３は、一致するキーＩＤが存在する場合に、当該ＩＤ情報を送信した他のキーレスリモコンに対してドアロック情報の送信を要求する送信要求信号を生成し、送受信部２１０を介して送信する。
また、ドアロック情報生成部２２３は、他のキーレスリモコンから送信された送信要求信号を受信すると、メモリ２２６に記憶されている施開錠情報と時刻情報とを纏めてドアロック情報を生成し、これにキーレスリモコン２００のキーＩＤを示すＩＤ情報を付加した上で、送受信部２１０を介して、他のキーレスリモコンに向けて送信する。
【００３０】
情報更新部２２４は、メモリ２２６に記憶されている施開錠情報と時刻情報の更新を行う。
具体的には、他のキーレスリモコンやドアロック制御装置１００から送信されたドアロック情報に含まれる施開錠情報の内容が、メモリ２２６に記憶されている施開錠情報の内容と異なり、かつ他のキーレスリモコンから送信されたドアロック情報の時刻情報が示す更新時刻の方が、メモリ２２６に記憶されている時刻情報が示す更新時刻よりも新しい場合に、情報更新部２２４は、メモリ２２６に記憶されている施開錠情報および時刻情報を、他のキーレスリモコンから送信されたドアロック情報の施開錠情報および時刻情報に書換えて更新する。
【００３１】
表示制御部２２５は、ドアロックの施開錠状態を示す情報を表示部２４０に表示させる。
具体的には、キーレスリモコンに設けられた表示ボタン２３０が、ユーザにより操作されると、メモリ２２６の施開錠情報を参照してドアロックが施錠状態と開錠状態のうちの何れであるのかを特定し、特定したドアロックの施開錠状態を示す情報、例えば文字情報を、表示部２４０に表示させる。
【００３２】
メモリ２２６は、登録ＩＤテーブル２２６ａと、施開錠情報２２６ｂと、時刻情報２２６ｃと、キーＩＤ２２６ｄとを記憶する。
登録ＩＤテーブル２２６ａは、車両Ｖのドアロックの施開錠に利用可能とされたキーレスリモコンのキーＩＤを纏めて記憶するテーブルであり、複数のキーＩＤが登録されている。
施開錠情報２２６ｂは、ドアロックが施錠状態と開錠状態のうちの何れであるのかを示す情報である。
時刻情報２２６ｃは、ドアロックが施錠状態または開錠状態にされた時刻（施開錠情報の更新時刻）を示す情報であり、施開錠情報と関連づけられて記憶される。
キーＩＤ２２６ｄは、キーレスリモコンを識別する識別子である。
【００３３】
表示ボタン２３０は、ドアロックの施開錠状態の確認を意図するユーザが、ドアロックの施開錠状態を示す情報を表示部２４０に表示させるために操作するボタンである。
【００３４】
表示部２４０は、例えば液晶表示画面からなり、ドアロックの施開錠状態を示す文字情報や、アイコンなどの画像情報を表示する。
【００３５】
上記したドアロック制御装置１００のＩＤ要求信号生成部１４１、ＩＤ照合部１４２、ドアロック制御部１４３、およびドアロック情報生成部１４５、並びにキーレスリモコン２００のＩＤ情報生成部２２１、ＩＤ照合部２２２、ドアロック情報生成部２２３、情報更新部２２４、および表示制御部２２５の各機能ブロックは、周知のマイクロコンピュータにより構成されており、図示しないＣＰＵが、図示しないＲＯＭまたはメモリに記憶しているプログラムを実行することで実現される。
【００３６】
図５および図６は、実施例にかかるキーレスエントリシステムの各キーレスリモコンにおける処理を説明するフローチャートである。
実施例にかかるキーレスエントリシステムの各キーレスリモコン２００は、他のキーレスリモコンとの間で施開錠情報を交換して、メモリ２２６に記憶した施開錠情報の内容が常に最新の内容となるように、以下に説明するフロー１の処理と、フロー２の処理とを交互に繰り返す。
【００３７】
始めに、キーレスリモコンが行うフロー１の処理を説明する。
フロー１の処理は、他のキーレスリモコンから送信されたドアロック情報に含まれる施開錠情報および時刻情報と、メモリ２２６に記憶している施開錠情報および時刻情報とを比較して、施開錠情報の内容を最新の状態に更新するための処理である。
【００３８】
ステップ１０１において、キーレスリモコン２００では、ＩＤ情報生成部２２１が、所定時間間隔毎にＩＤ情報を生成し、送受信部２１０の送受信アンテナ２１０ａを介して、キーレスリモコン２００の送受信可能範囲内に送信する。キーレスリモコン２００の存在を報知するためである。
【００３９】
ステップ１０２において、キーレスリモコン２００では、他のキーレスリモコンから送信されたＩＤ情報を受信したか否かを確認する。
キーレスリモコン２００の送受信可能範囲内に他のキーレスリモコンが存在するか否かを確認するためである。
【００４０】
ステップ１０２において他のキーレスリモコンから送信されたＩＤ情報を受信した場合、ステップ１０３において、ＩＤ照合部２２２が、受信したＩＤ情報が示すキーＩＤに基づいて、メモリ２２６の登録ＩＤテーブルを参照して、一致するキーＩＤの有無を確認する。
ＩＤ情報を送信した他のキーレスリモコンと、ＩＤ情報を受信したキーレスリモコンとが、それぞれ、同一車両のドアの施開錠に用いられるキーレスリモコンであるか否かを確認するためである。
【００４１】
ステップ１０３において一致するキーＩＤが存在する場合、ステップ１０４において、ドアロック情報生成部２２３は、施開錠情報と時刻情報を含むドアロック情報の送信を要求する送信要求信号を生成し、送受信部２１０の送受信アンテナ２１０ａを介して送信する。
ＩＤ情報を送信した他のキーレスリモコンに対し、当該他のキーレスリモコンのメモリに記憶されている施開錠情報と時刻情報とを纏めたドアロック情報を、送信させるためである。
【００４２】
ステップ１０５において、ＩＤ照合部２２２は、他のキーレスリモコンから送信されたドアロック情報を受信したか否かを確認する。
ＩＤ照合部２２２は、他のキーレスリモコンから送信されたドアロック情報を受信すると、当該ドアロック情報に付加されたＩＤ情報を取得する。そして取得したＩＤ情報が示すキーＩＤと、先に送信した送信要求信号の送信先のキーレスリモコンのキーＩＤとが一致するか否かを確認する。ドアロック情報の送信を要求した他のキーレスリモコンから送信されたドアロック情報であるのかを確認するためである。
そして、両キーＩＤが一致する場合に、ドアロック情報を受信したと判断する。
【００４３】
ステップ１０５において他のキーレスリモコンから送信されたドアロック情報を受信したと判断された場合、ステップ１０６において、情報更新部２２４は、受信したドアロック情報から施開錠情報を取得する。そして取得した施開錠情報と、メモリ２２６に記憶した施開錠情報とが一致するか否かを確認する。
【００４４】
ステップ１０６において両施開錠情報が一致する場合、処理を終了する。施開錠情報の更新が必要ないからである。
ステップ１０６において両施開錠情報が一致しない場合、ステップ１０７において、情報更新部２２４は、受信したドアロック情報から時刻情報を取得する。そして、取得した時刻情報が示す施開錠情報の更新時刻のほうが、メモリ２２６に記憶した時刻情報が示す施開錠情報の更新時刻よりも新しいか否かを確認する。
受信したドアロック情報に含まれる施開錠情報の方が、メモリ２２６に記憶した施開錠情報よりも新しいか否か、すなわち取得した施開錠情報が最新の情報であるかを確認するためである。
【００４５】
ステップ１０７において取得した時刻情報が示す施開錠情報の更新時刻のほうが、メモリ２２６に記憶した時刻情報が示す施開錠情報の更新時刻よりも新しい場合、ステップ１０８において、キーレスリモコン２００では、情報更新部２２４が、メモリ２２６に記憶させた施開錠情報の内容を、取得した施開錠情報の内容に書換えて更新する。併せて、時刻情報も書換えられる。
【００４６】
一方、ステップ１０７において受信した時刻情報が示す施開錠情報の更新時刻のほうが、メモリ２２６に記憶した時刻情報が示す施開錠情報の更新時刻よりも新しくない、すなわち古い場合には、処理を終了する。
【００４７】
例えば、メモリ２２６に記憶されている施開錠情報の内容が、ドアロックが「開錠状態」であることを示し、時刻情報が示す施開錠情報の更新時刻が１３時である場合において、受信した施開錠情報の内容が、ドアロックが「施錠状態」であることを示し、受信した時刻情報が示す施開錠情報の更新時刻が１４時であるときには、メモリ２２６に記憶されている施開錠情報および時刻情報の内容が、受信した施開錠情報および時刻情報の内容にそれぞれ書換えられる。
【００４８】
次に、キーレスリモコン２００が行うフロー２の処理を説明する。
フロー２の処理は、他のキーレスリモコンから送信された送信要求信号を受信した際に、メモリ２２６に記憶している施開錠情報および時刻情報を、当該他のキーレスリモコンに対して送信するための処理である。
【００４９】
ステップ２０１において、キーレスリモコン２００では、送受信部２１０が他のキーレスリモコンから送信されたＩＤ情報を受信したか否かを確認する。
キーレスリモコン２００の送受信可能範囲内に他のキーレスリモコンが存在するか否かを確認するためである。
【００５０】
ステップ２０１において他のキーレスリモコンから送信されたＩＤ情報を受信した場合、ステップ２０２において、ＩＤ照合部２２２が、受信したＩＤ情報が示すキーＩＤと、登録ＩＤテーブル２２６ａ内に格納された各キーＩＤとを照合して、一致するキーＩＤが存在するか否かを確認する。
ＩＤ情報を送信した他のキーレスリモコンと、ＩＤ情報を受信したキーレスリモコンとか、それぞれ、同一の車両のドアの施開錠を行うキーレスリモコンであるか否かを確認するためである。
【００５１】
ステップ２０２において一致するキーＩＤが存在する場合、ステップ２０３において、ＩＤ情報生成部２２１は、キーレスリモコン２００のキーＩＤを示すＩＤ情報を生成し、送受信部２１０の送受信アンテナ２１０ａを介して送信する。
同一の車両のドアの施開錠を行うキーレスリモコンの存在を、他のキーレスリモコンに対して報知するためである。
【００５２】
これにより、ＩＤ情報を受信した他のキーレスリモコンでは、施開錠情報と時刻情報とを含むドアロック情報の送信を要求する送信要求信号が生成され、送信される。
【００５３】
ステップ２０４において、他のキーレスリモコンから送信されたドアロック情報の送信要求信号を受信したか否かを確認する。
ステップ２０４において送信要求信号を受信した場合、ステップ２０５において、ドアロック情報生成部２２３は、メモリ２２６に記憶されている施開錠情報と時刻情報とを纏めてドアロック情報を生成する。そして、生成したドアロック情報に、当該キーレスリモコンのキーＩＤを示すＩＤ情報を付加した上で、送受信部２１０から送信する。ドアロック情報を送信したキーレスリモコン２００を特定できるようにためである。
【００５４】
このように、各キーレスリモコン２００は、上記したフロー１の処理と、フロー２の処理とを交互に繰り返すことで、メモリ２２６に記憶されている施開錠情報と、他のキーレスリモコンのメモリに記憶されている施開錠情報との比較を定期的に行う。
そして、他のキーレスリモコンに記憶されている施開錠情報の方が、メモリ２２６に記憶されている施開錠情報よりも新しい場合に、メモリ２２６に記憶されている施開錠情報を新しい方の施開錠情報に書換えて更新する。
【００５５】
図７は、ドアロック制御装置における処理を説明する図である。
実施例にかかるキーレスエントリシステムにおいて、キーレスリモコン２００を用いてドアロックの施開錠を行う場合のドアロック制御装置１００側での処理を説明する。
【００５６】
ステップ３０１において、ドアロック制御装置１００では、リクエストスイッチ１３０が操作されたか否かを確認する。
ステップ３０１においてリクエストスイッチ１３０が操作されると、ステップ３０２において、ＩＤ要求信号生成部が、ＩＤ要求信号を生成する。
ステップ３０３において、操作されたリクエストスイッチ１３０に対応する受信可能範囲に向けてＩＤ要求信号が送信される。
車両Ｖの周囲に、車両Ｖのドアロックの施開錠を行うキーレスリモコン２００が存在するか否かを確認するためである。
【００５７】
例えば、運転席側リクエストスイッチ１３１が操作された場合、ＩＤ要求信号は、運転席ドア送信機１２１の送信アンテナ１２１ａを介して、車両Ｖの運転席ドアＤ１側に設定された受信可能範囲Ｒに向けて送信され、助手席側リクエストスイッチ１３２が操作された場合、ＩＤ要求信号は、助手席ドア送信機１２２の送信アンテナ１２２ａを介して、車両Ｖの助手席ドアＤ２側に設定された受信可能範囲Ｌに向けて送信される。
【００５８】
ステップ３０４において、ＩＤ照合部１４２は、ＩＤ要求信号を受信したキーレスリモコンから送信されたＩＤ情報を受信したか否かを確認する。
ステップ３０４においてＩＤ情報を受信した場合、ステップ３０５において、ＩＤ照合部１４２は、受信したＩＤ情報が示すキーＩＤと一致するキーＩＤが、メモリ１４６の登録ＩＤテーブル１４６ａ内に存在するか否かを確認する。
ＩＤ情報を送信したキーレスリモコンが、自車両Ｖのドアロックの施開錠用のキーレスリモコンとして登録されているか否かを確認するためである。
【００５９】
ステップ３０５において一致するＩＤが存在する場合、ステップ３０６において、ドアロック制御部１４３は、メモリ１４６の施開錠情報１４６ｂを参照して、ドアロックの状態が施錠状態であるか否かを確認する。
ステップ３０６においてドアロックの状態が施錠状態である場合、ステップ３０７において、ドアロック制御部１４３は、ドアロックを開錠状態にすることを命令する駆動命令をドアロックアクチュエータ１５０に出力して、総てのドアロックを開錠状態にする。
【００６０】
一方、ステップ３０６においてドアロックの状態が開錠状態である場合、ステップ３０８において、ドアロック制御部１４３は、ドアロックを施錠状態にすることを命令する駆動命令をドアロックアクチュエータ１５０に出力して、総てのドアロックを施錠状態にする。
【００６１】
ステップ３０９において、ドアロック制御部１４３は、メモリ１４６の施開錠情報１４６ｂおよび時刻情報１４６ｃを書換えて更新する。
例えばドアロックが施錠状態から開錠状態にされた場合、施開錠情報の内容を、ドアロックか開錠状態である旨の内容からドアロックが開錠状態である旨の内容に書き換える。
これと同時に、内部時計１４４の時計信号に基づいてドアロックを開錠状態にした時刻を特定し、時刻情報が示す施開錠情報の更新時刻を、特定した時刻に変更する。
【００６２】
ステップ３１０において、ドアロック情報生成部１４５は、更新後の施開錠情報および時刻情報を含むドアロック情報を生成し、操作されたリクエストスイッチ１３０に割り当てられた受信可能範囲に向けて送信させる。
例えば、運転席側リクエストスイッチ１３１が操作されていた場合、ドアロック情報は、運転席ドア送信機１２１の送信アンテナ１２１ａを介して、車両Ｖの運転席ドアＤ１側に設定された受信可能範囲Ｒに向けて送信される。
【００６３】
これにより、ドアロック情報を受信したキーレスリモコン２００では、メモリ２２６内の施開錠情報と時刻情報とが書換えられる。
【００６４】
ここで、上記したメモリ２２６が発明におけるに記憶部に相当し、ドアロック情報生成部２２３および送受信部２１０、並びにステップ２０５が発明における送信部に相当し、ＩＤ照合部２２２および送受信部２１０、並びにステップ１０５が発明における受信部に相当し、情報更新部２２４およびステップ１０６〜ステップ１０８が発明における情報更新部に相当する。
【００６５】
以上の通り、本実施例では、同一の車両Ｖに対して複数のキーレスリモコン２００がドアの施開錠用のリモコンとして登録されているキーレスエントリシステムにおいて、キーレスリモコン２００は、ドアの施開錠状態を示す施開錠情報と施開錠情報の更新時刻を示す時刻情報とを記憶するメモリ２２６と、施開錠情報および時刻情報を、送受信部２１０を介して送信するドアロック情報生成部２２３と、他のキーレスリモコンから送信された施開錠情報および時刻情報を受信する送受信部２１０と、メモリ２２６に記憶された施開錠情報を更新する情報更新部２２４とを備え、情報更新部２２４は、他のキーレスリモコンから送信された施開錠情報および時刻情報を受信した場合に、他のキーレスリモコンから送信された施開錠情報が示すドアの施開錠状態が、メモリ２２６に記憶された施開錠情報が示すドアの施開錠状態と異なり、かつ他のキーレスリモコンから送信された施開錠情報のほうがメモリ２２６に記憶された施開錠情報よりも新しいときには、メモリ２２６に記憶した施開錠情報を、他のキーレスリモコンから送信された施開錠情報に書換えて更新する構成とした。
これにより、車両Ｖのドアロックの施開錠に利用可能なキーレスリモコンとして登録されている複数のキーレスリモコン２００の間での施開錠情報の交換を通じて、各キーレスリモコン２００では、メモリ２２６に記憶した施開錠情報が最新の情報に更新されるので、ドアの施開錠を実施したキーレスリモコン以外のキーレスリモコンでも、ドアの施錠状態／開錠状態を確認することができるようになり、利便性が向上する。
よって、ドアロックの施開錠を行ったキーレスリモコンでないキーレスリモコンでも、ドアロック状態を示す最新の情報を、ユーザの要求に応じて提示することが可能になる。
【００６６】
また、情報更新部２２４は、メモリ２２６に記憶した施開錠情報を他のキーレスリモコンから送信された施開錠情報に書換えて更新する際に、メモリ２２６に記憶した時刻情報を他のキーレスリモコンから送信された時刻情報に書換える構成とした。
これにより、施開錠情報を書換えて更新した後に、他のキーレスリモコンから送信された新たな施開錠情報を受信した場合であっても、他のキーレスリモコンから送信された施開錠情報とメモリ２２６に記憶された施開錠情報のどちらが最新の情報であるのかを判別できる。
【００６７】
さらに、キーレスリモコン２００は所定の通信範囲を有し、施開錠情報および時刻情報は、所定の通信範囲に向けて定期的に送信される構成とした。
これにより、キーレスリモコン２００を動作させるバッテリの電力消費を低減させることが出来る。また、所定の通信範囲内にある他のキーレスリモコンとの間で定期的に施開錠情報を交換し、メモリ２２６に記憶した施開錠情報を最新の情報に更新するので、ドアロック制御装置１００との通信可能範囲内にないキーレスリモコン２００であっても、ドアロック制御装置１００との通信可能範囲内にある他のキーレスリモコンと通信可能な範囲内にあれば、メモリ２２６に記憶した施開錠情報が最新の情報に更新される。
さらに、ドアロックの施開錠を実施したキーレスリモコン以外のキーレスリモコンであって、ドアロックの施開錠時にドアロック制御装置１００との通信可能な範囲内に存在していなかったキーレスリモコンであっても、他のキーレスリモコンとの通信を通じて、メモリに記憶している施開錠情報を最新の情報に更新することができる。
【００６８】
上記実施例にかかるキーレスエントリシステムは、車両Ｖのドアに設けられたリクエストスイッチ１３１、１３２が操作された場合に、ドアロック制御装置１００から、車両Ｖの周囲に設定された受信可能範囲Ｒ、Ｌ内に向けてＩＤ要求信号を送信する。そして、送信したＩＤ要求信号を受信してＩＤ情報を返信したキーレスリモコンが、車両Ｖのドアロックの施開錠を実施可能なキーレスリモコンである場合に、ドアの施開錠を行うという構成を有する。
しかし、ユーザがキーレスリモコンに設けたスイッチを操作した際に、ドアロックの施開錠を要求する信号とキーレスリモコンのキーＩＤとを、キーレスリモコンから送信し、ドアロック制御装置では、受信したキーＩＤが示すキーレスリモコンが、車両Ｖのドアロックの施開錠を実施可能なキーレスリモコンである場合に、ドアロックの施開錠を要求する信号に従ってドアの施開錠を行うようにしたキーレスエントリシステムにおいても、本発明は好適に使用可能である。
【００６９】
また、上記実施例では、他のキーレスリモコンから送信された施開錠情報を受信した場合に、他のキーレスリモコンから送信された施開錠情報が示すドアの施開錠状態が、メモリに記憶された施開錠情報が示すドアの施開錠状態と異なり、かつ他のキーレスリモコンから送信された施開錠情報の方がメモリに記憶された施開錠情報よりも新しいときには、メモリに記憶した施開錠情報を、他のキーレスリモコンから送信された施開錠情報に書き換えて更新するキーレスリモコンの機能を説明した。
しかし、本発明は、上記したキーレスリモコンの機能を実行させるプログラムや、このプログラムを記憶した媒体としても、具現化可能である。
【図面の簡単な説明】
【００７０】
【図１】実施例にかかるキーレスエントリシステムの構成を示す説明図である。
【図２】キーレスエントリシステムのドアロック制御装置の構成を示すブロック図である。
【図３】ドアロック制御装置から送信される信号の受信可能領域を説明する図である。
【図４】キーレスエントリシステムのキーレスリモコン２００の構成を示すブロック図である。
【図５】キーレスリモコンにおける処理を説明する図である。
【図６】キーレスリモコンにおける処理を説明する図である。
【図７】ドアロック制御装置における処理を説明する図である。
【符号の説明】
【００７１】
１００  ドアロック制御装置
１１０  受信機
１２０  送信機
１２１  運転席ドア送信機
１２２  助手席ドア送信機
１３０  リクエストスイッチ
１３１  運転席側リクエストスイッチ
１３２  助手席側リクエストスイッチ
１４０  パッシブコントローラ
１４１  ＩＤ要求信号生成部
１４２  ＩＤ照合部
１４３  ドアロック制御部
１４４  内部時計
１４５  ドアロック情報生成部
１４６  メモリ
１５０  ドアロックアクチュエータ
２００  キーレスリモコン
２１０  送受信部
２２０  制御部
２２１  ＩＤ情報生成部
２２２  ＩＤ照合部
２２３  ドアロック情報生成部
２２４  情報更新部
２２５  表示制御部
２２６  メモリ（記憶部）
２３０  表示ボタン
２４０  表示部
Ｄ１    運転席ドア
Ｄ２    助手席ドア
Ｌ      受信可能範囲
Ｒ      受信可能範囲
Ｖ      車両
【図１】
0005056371.tif 000002
【図２】
0005056371.tif 000003
【図３】
0005056371.tif 000004
【図４】
0005056371.tif 000005
【図５】
0005056371.tif 000006
【図６】
0005056371.tif 000007
【図７】
0005056371.tif 000008